(57)【特許請求の範囲】
【請求項１】
アーチ状に湾曲された網刃(1A)を有するアーチ外刃(1)と、このアーチ外刃(1)の内面に沿う刃縁を有し、この刃縁をアーチ外刃(1)の内面に摺動させるアーチ内刃(3)と、前記のアーチ外刃(1)と独立してアーチ外刃(1)の両外側に隣接して平行に配設され、かつ、横方向に延長される複数の平行スリット(2a)を開口している平行刃(2A)を有するスリット外刃(2)と、このスリット外刃(2)の内面に沿う刃縁を有し、この刃縁をスリット外刃(2)の内面に摺動させるスリット内刃(5)と、前記アーチ外刃(1)とスリット外刃(2)とをそれぞれ独立して出入り自在に装着する外刃ケース(6)と、この外刃ケース(6)に形成され、スリット外刃(2)の両外側に隣接して、平行に配設されている櫛(4)とを備え、
アーチ外刃(1)とスリット外刃(2)は櫛(4)よりも突出する位置で出入り自在に配設され、アーチ外刃(1)とスリット外刃(2)が最も押し下げられた位置で、櫛(4)の先端と同一平面となるように形成し、
櫛(4)とスリット外刃(2)を皮膚(H)に沿って移動させると、癖髭(K)の方向が櫛(4)で揃えられて、スリット外刃(2)の平行スリット(2a)に案内されて切断され、スリット外刃(2)で切断された髭が、さらにアーチ外刃(1)で切断されるように構成されてなることを特徴とする電気かみそり。
【請求項２】
スリット外刃(2)の平行刃(2A)がアーチ外刃(1)の網刃(4)よりも厚く、平行スリット(2a)の開口面積が、髭剃孔の開口面積よりも大きく開口されてなる請求項１に記載される電気かみそり。
【請求項３】
櫛(4)の間隔を、スリット外刃(2)の平行スリット(2a)の間隔よりも広く形成してなる請求項１に記載される電気かみそり。
【請求項４】
櫛(4)の先端部が外側に湾曲して突出している請求項１に記載される電気かみそり。
【発明の詳細な説明】
【０００１】
【発明の属する技術分野】
本発明はアーチ外刃とスリット外刃とを有する電気かみそりに関し、とくに、癖髭を確実に効率よくスリット外刃に案内できる電気かみそりに関する。
【０００２】
【従来の技術】
電気かみそりは、深剃りして能率よく髭剃りするために３連外刃タイプが開発された。この電気かみそりは、アーチ状に湾曲させる網刃の曲率半径を小さくできるので、突出部をぴったりと沿わせて深剃りできる。また、３連の外刃で能率よく髭剃りできる特長がある。３連の電気かみそりは、能率よく髭剃りできる特長はあるが、癖髭はほとんどカットできない欠点がある。それは、癖髭が、皮膚から垂直な方向に突出せずに、湾曲して先端を皮膚に密着させているからである。この形状の髭は、アーチ外刃に開口している髭剃孔に挿入できない。
【０００３】
この弊害を解消するために、２連のアーチ外刃の間に、スリット外刃を配設する３連の電気かみそりが開発されている。この電気かみそりは、スリット外刃の上面を平面状として、平行スリットを開口している。
【０００４】
【発明が解決しようとする課題】
アーチ外刃の間にスリット外刃を配設する電気かみそりは、３連のアーチ外刃を有する電気かみそりに比較して、癖髭を速やかにカットできる。しかしながら、この構造の電気かみそりは、必ずしも満足できる程度に効率よく癖髭をカットできない。図１と図２は、アーチ外刃１の間に配設されるスリット外刃２が、癖髭Ｋをカットする状態を示す。電気かみそりは、これ等の図に示すように、アーチ外刃１とスリット外刃２とを皮膚Ｈに沿って往復運動させて癖髭Ｋをカットする。
【０００５】
癖髭は、これ等の図に示すように、湾曲しているものが多い。さらに、癖髭は、皮膚に対して直角に生えているのではなくて、皮膚と平行な方向に傾斜する姿勢で生えているものも多い。このため、癖髭は先端が皮膚から突出し難く、アーチ外刃の髭剃孔に誘い込むことができない。とくに、図に示すように、湾曲して先端が皮膚に密着してしまうと、アーチ外刃の髭剃孔には誘い込みできなくなる。
【０００６】
スリット外刃がこの形状の癖髭をカットするためには、スリット外刃の平行スリットに癖髭を誘い込む必要がある。ところが、アーチ外刃の間にスリット外刃を配設する電気かみそりを、図１と図２に示すように、皮膚Ｈに押し付けながら往復運動させると、アーチ外刃１が癖髭Ｋを押し潰してさらに皮膚Ｈに密着させてしまう。この姿勢になった癖髭Ｋは、皮膚Ｈから突出しないので、スリット外刃２の平行スリットに誘い込みできない。
【０００７】
図１は、癖髭Ｋが生える方向に向かってスリット外刃２を移動させる状態を示す。この方向にスリット外刃２を移動させると、湾曲する癖髭Ｋは、スリット外刃２に先行して移動するアーチ外刃１で押し潰されて皮膚Ｈに密着し、平行スリットに誘い込まれなくなる。とくに、剃り落としたい長い癖髭Ｋは、先行するアーチ外刃１に確実に皮膚Ｈに密着されて、スリット外刃２でカットできなくなる。
【０００８】
図２に示すように、図１と反対の方向、すなわち、癖髭Ｋが生える方向と反対にスリット外刃２を移動させると、癖髭Ｋのカットはさらに難しくなる。それは、先行するアーチ外刃１が、癖髭Ｋを皮膚Ｈに押し付けるばかりでなく、癖髭Ｋの方向を横向きにして、平行スリットと平行な方向に向けられなくなるからである。癖髭Ｋを平行スリットで能率よくカットするために、長い癖髭を平行スリットと平行な方向に向けて、平行スリットに誘い込む必要がある。
【０００９】
癖髭をより確実に平行スリットと平行にするために、スリット外刃を櫛形にした電気かみそりも開発されている。しかしながら、櫛形のスリット外刃を皮膚に沿って移動させても、スリット外刃よりも先にアーチ外刃が、癖髭を押圧して皮膚に密着させ、あるいは、癖髭の方向を狂わせ、さらに、方向の狂った癖髭の先端をアーチ外刃で押圧している電気かみそりは、櫛形のスリット外刃をもってしても、癖髭を確実にカットできない。
【００１０】
本発明は、これ等の欠点を解決することを目的に開発されたものである。本発明の重要な目的は、癖髭を確実にカットして、しかも、アーチ外刃で能率よく綺麗に髭剃りできる電気かみそりを提供することにある。
【００１１】
【課題を解決するための手段】
本発明の電気かみそりは、アーチ状に湾曲された網刃(1A)を有するアーチ外刃(1)と、このアーチ外刃(1)の内面に沿う刃縁を有し、この刃縁をアーチ外刃(1)の内面に摺動させるアーチ内刃(3)と、前記のアーチ外刃(1)と独立してアーチ外刃(1)の両外側に隣接して平行に配設され、かつ、横方向に延長される複数の平行スリット(2a)を開口している平行刃(2A)を有するスリット外刃(2)と、このスリット外刃(2)の内面に沿う刃縁を有し、この刃縁をスリット外刃(2)の内面に摺動させるスリット内刃(5)と、前記アーチ外刃(1)とスリット外刃(2)とをそれぞれ独立して出入り自在に装着する外刃ケース(6)と、この外刃ケース(6)に形成され、スリット外刃(2)の両外側に隣接して、平行に配設されている櫛(4)とを備え、アーチ外刃(1)とスリット外刃(2)は櫛(4)よりも突出する位置で出入り自在に配設され、アーチ外刃(1)とスリット外刃(2)が最も押し下げられた位置で、櫛(4)の先端と同一平面となるように構成する。
【００１２】
この構造の電気かみそりは、図３に示すように、アーチ外刃１とスリット外刃２に先行して、櫛４が癖髭Ｋに向かって移動する。矢印の方向に移動する櫛４は、スリット外刃２とアーチ外刃１が癖髭Ｋを押圧しない状態、言いかえると、癖髭Ｋが皮膚Ｈからアーチ状に湾曲して突出する状態で、スリット外刃２の平行スリット２ａに誘い込む姿勢に方向を揃える。平行スリット２ａの方向に向けられた癖髭Ｋは、スリット外刃２の平行スリット２ａに速やかに誘い込まれる。この状態にあっても、癖髭Ｋは、従来の電気かみそりのように、アーチ外刃１で押圧されず、自由に方向が変更できる状態にあって、櫛４の作用をするスリット外刃２の平行スリット２ａによっても方向が揃えられる。反対に、癖髭Ｋの生える方向に向かってスリット外刃２が移動されると、癖髭Ｋは櫛４の隙間を通過して、スリット外刃２の平行スリット２ａに案内される。このとき、自由に変形できる癖髭Ｋは皮膚Ｈから離して押し上げることができ、癖髭Ｋをより確実に平行スリット２ａに誘い込むことができて、スリット外刃２で確実にカットされる。さらに、図示しないが、櫛４とスリット外刃２と平行に生える癖髭は、図３に示す癖髭Ｋと同じように、移動する櫛４でスリット外刃２の平行スリット２ａの方向に整列して、平行スリット２ａに誘い込まれる。このため、この方向を向く癖髭も、スリット外刃２で確実にカットされる。
【００１３】
さらに、アーチ外刃１とスリット外刃２を、櫛４よりも突出する位置に配設し、アーチ外刃１とスリット外刃２を外刃ケース６に出入り自在に装着し、アーチ外刃１とスリット外刃２が最も押し下げられた位置を、櫛４の先端と同一平面とする。この構造の電気かみそりは、櫛４とスリット外刃２とアーチ外刃１が、皮膚Ｈに接触されて、癖髭Ｋを最も効率よく切断する。
【００１４】
さらに、本発明の請求項４の電気かみそりは、スリット外刃２の平行刃２Ａをアーチ外刃１よりも厚くして、平行スリット２ａの開口面積を、髭剃孔の開口面積よりも大きく開口している。厚い平行刃２Ａは、平行スリット２ａの幅を広くして癖髭Ｋの誘い込みを良くして、皮膚Ｈの損傷を少なくできる。薄い網刃１Ａは、髭剃孔に案内される髭を深剃りする。
【００１５】
さらにまた、本発明の請求項５の電気かみそりは、櫛４の間隔を、スリット外刃２の平行スリット２ａの間隔よりも広く形成している。この構造の櫛４は、癖髭Ｋをより確実に誘い込んで方向を揃えることができる。
【００１６】
また、本発明の請求項６の電気かみそりは、アーチ外刃１の両側にスリット外刃２を配設し、スリット外刃２の両側に櫛４を配設し、さらに、請求項７の電気かみそりは、アーチ外刃１を２連としている。この構造の電気かみそりは、アーチ外刃１の両側を対称にしているので、両方の方向に移動して癖髭等を効率よくカットできる。さらにまた、請求項８の電気かみそりは、櫛４の先端部を外側に湾曲して突出させているので、膚に心地よく接触して癖髭等を効率よくスリット外刃２に誘い込みできる。
【００１７】
【発明の実施の形態】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１８】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１９】
図４ないし図６に示す電気かみそりは、２連のアーチ外刃１と、２連のスリット外刃２と、３列の櫛４と、アーチ外刃１とスリット外刃２とを平行に配設して装着している外刃ケース６と、外刃ケース６を脱着自在に装着している外刃枠７と、アーチ外刃１の内面に押圧されて摺動されるアーチ内刃３と、スリット外刃２の内面に押圧されて摺動されるスリット内刃５と、アーチ内刃３とスリット内刃５とが連結されている内刃台１１と、内刃台１１を往復運動させる駆動機構（図示せず）とを備える。
【００２０】
２連のアーチ外刃１と、２連のスリット外刃２は、図６の分解斜視図に示すように、中間台６ａを介して、それぞれ独立して上下に移動できるように、すなわち、出入りできるように、外刃ケース６に装着される。スリット外刃２は、２連のアーチ外刃１の外側に隣接して平行に配設される。アーチ外刃１は、押し出された状態では、スリット外刃２よりも突出する位置に配設される。アーチ外刃１が確実に皮膚に押圧されて、髭を綺麗に仕上げ剃りするためである。
【００２１】
アーチ外刃１は、図６に示すように、プラスチック製のホルダー１Ｂに、網刃１Ａを固定したものである。網刃１Ａは、厚さを、例えば、３０〜１００μｍ、最適には約５０μｍとする薄い金属板で、アーチ状に湾曲されてホルダー１Ｂに固定される。網刃１Ａは無数の髭剃孔を開口している。ホルダー１Ｂは、硬質のプラスチックを、上下を開口した長方形の角筒状に成形したものである。
【００２２】
スリット外刃２は、図６に示すように、プラスチック製のホルダー２Ｂに、平行刃２Ａを固定したものである。平行刃２Ａは、図７と図８に示すように、金属板に、横方向に延長して複数の平行スリット２ａを開口したものである。平行刃２Ａは、上面を平面状とする矩形状に金属板を折曲して、上面と外側のコーナー部から外側の垂直部まで延長して平行スリット２ａを開口している。図７と図８に示すスリット外刃２は、平行スリット２ａの幅を、外側に向かって広くするテーパー状としている。この形状の平行刃２Ａは、櫛のように癖髭Ｋを揃えて、平行スリット２ａによりスムーズに誘い込みできる特長がある。
【００２３】
図７と図８に示す平行刃２Ａは上面を平面状としている。本発明の電気かみそりは、平行刃の上面を必ずしも完全な平面状とする必要はない。たとえば、アーチ状に湾曲されるアーチ外刃１の曲率半径よりも大きい曲率半径に湾曲させて、ほぼ平面形状とすることもできる。
【００２４】
平行刃２Ａの厚さは、網刃１Ａよりも厚く、例えば、０．１〜０．５ｍｍ、最適には、０．２〜０．３ｍｍとして、網刃１Ａの２〜１０倍、最適には約５倍とする。平行刃２Ａを厚くするのは、スリット外刃２の幅を広くして、皮膚Ｈの損傷を少なくするためである。癖髭Ｋをスムーズに平行スリット２ａに案内するためには、平行スリット２ａの幅を広くする必要がある。ところが、平行スリット２ａを幅広にすると、ここに皮膚Ｈが圧入されやすくなって、内面を摺動するスリット内刃５で皮膚Ｈを損傷させやすくなる。この弊害を防止するために、平行刃２Ａを厚くしている。厚い平行刃２Ａは、皮膚を平行スリット２ａに深く圧入しないかぎり、スリット内刃５で皮膚を損傷させなくなる。
【００２５】
平行スリット２ａの幅を広くして、アーチ外刃１の網刃１Ａよりも厚くしている平行刃２Ａは、癖髭Ｋを確実にカットして、しかも皮膚の損傷を少なくできる。スリット外刃２の平行刃は、癖髭Ｋを粗剃りする。粗剃りされた癖髭Ｋは、スリット外刃２に続いて皮膚に沿って移動されるアーチ外刃１で仕上げ剃りされる。短くカットされた癖髭Ｋは、先端をアーチ外刃１の髭剃孔に案内されやすく、髭剃孔で綺麗に仕上げ剃りされる。
【００２６】
アーチ外刃１とスリット外刃２は、それぞれ独立して出入りできるように外刃ケース６に装着される。アーチ外刃１とスリット外刃２は、プラスチック製のホルダー１Ｂ、２Ｂに、網刃１Ａまたは平行刃２Ａをそれぞれ固定している。
【００２７】
アーチ外刃１とスリット外刃２は、コイルスプリングである端部スプリング１６を介して肌に向かって弾性的に押し出される。端部スプリング１６は、大きなストロークで、アーチ外刃１とスリット外刃２を皮膚に押圧する。弾性的に外刃ケース６から押し出される、アーチ外刃１とスリット外刃２は、端部スプリング１６で押し出された状態では、図４と図５に示すように、アーチ外刃１がスリット外刃２よりも突出しているが、アーチ外刃１とスリット外刃２とを完全に押し下げた状態では、アーチ外刃１がスリット外刃２と同一平面になるまで深く沈み、スリット外刃２とアーチ外刃１の４連全ての外刃で髭をカットできる。
【００２８】
アーチ外刃１とスリット外刃２は、外刃ケース６に上下に移動できるように装着されている。したがって、アーチ外刃１とスリット外刃２は、ホルダー１Ｂ、２Ｂの両端面に上下スリット９を設けている。上下スリット９には、外刃ケース６に装着される中間台６ａの内面に突出しているガイド突起１０が案内される。アーチ外刃１とスリット外刃２は、上下スリット９とガイド突起１０とを介して上下に移動できるように、中間台６ａに装着されて、さらに、中間台６ａが外刃ケース６に装着される。アーチ外刃１とスリット外刃２が上下に移動すると、上下スリット９は、ガイド突起１０に沿って上下に移動する。
【００２９】
アーチ外刃１とスリット外刃２とを外刃ケース６に装着する中間台６ａは、外刃ケース６の内側に嵌着して固定される。中間台６ａは、両端に位置する弾性プレート６１ａと、この弾性プレート６１ａを連結する３本の連結ロッド６２ａとからなり、全体をプラスチックで一体成形している。弾性プレート６１ａは、アーチ外刃１とスリット外刃２を連結するガイド突起１０を内側に設けている。
【００３０】
弾性プレート６１ａは、外側の形状を、外刃ケース６両端の内面に嵌着される形状に成形している。弾性プレート６１ａの下端は、外刃ケース６の引掛凸部１３を案内して、中間台６ａが外刃ケース６から抜けないようにする貫通孔１４を開口している。さらに、弾性プレート６１ａの上面には、端部スプリング１６を挿入する連結ピン８を突出して設けている。
【００３１】
連結ロッド６２ａは、薄い板状に成形されており、４連の外刃の間に配設されて、弾性プレート６１ａの上面の３カ所を連結している。弾性プレート６１ａ中央の連結ロッド６２ａは、両側の連結ロッド６２ａよりも上方に突出して、その上面を櫛状に成形している。
【００３２】
外刃ケース６は、両端に位置する端部プレート６１と、この端部プレート６１の両端を連結している側面プレート６２とからなる。端部プレート６１と側面プレート６２からなる外刃ケース６は、プラスチックで方形状に一体成形されている。外刃ケース６は、内側に中間台６ａを嵌着できる方形状である。側面プレート６２は、上面に櫛４を設けている。櫛４の間隔は、スリット外刃２の平行スリット２ａの間隔よりも広く成形される。癖髭をスムーズに間に案内するためである。さらに、図８に示す櫛４は、先端部を外側に湾曲して突出されている。この形状の櫛４は、傾斜させる姿勢で皮膚に快適に優しく接触して、突出部が癖髭を効率よく整列して、スリット外刃に誘い込みできる特長がある。
【００３３】
櫛４の位置は、スリット外刃２が端部スプリング１６で押し出される状態、いいかえると、スリット外刃２が皮膚に押圧されない状態では、図９の実線で示すように、スリット外刃２の上面よりも下方に位置する。スリット外刃２が皮膚に押圧されて、最も押し込まれた状態では、図の鎖線で示すように、櫛４は、上端をスリット外刃２の上面と同一平面とする。アーチ外刃１は、押圧された状態ではスリット外刃２と同一平面となり、押圧されない状態ではスリット外刃２よりも突出している。このため、アーチ外刃１とスリット外刃２は、櫛４よりも突出する位置で出入り自在に配設されており、アーチ外刃１とスリット外刃２が最も押し下げられると、櫛４の先端と同一平面となる。
【００３４】
外刃ケース６は、外刃枠７の上端開口部である開口窓７Ｃに脱着自在に装着される。外刃ケース６は、図４と図１０とに示すように、端部プレート６１の外側に設けている引掛片６Ａを、外刃枠７の内面に設けている凹部の引掛部７Ａに引っかけて、外刃枠７に脱着自在に装着される。引掛片６Ａは、外刃ケース６の両端面から突起して下から上に延長して設けられている。引掛片６Ａは内面に弾性金属板６Ｂを内蔵して弾性変形できるようになっている。引掛片６Ａは上端の幅を広くしてＴ字状としている。外刃枠７は、外刃ケース６を装着した状態で、図１０の断面図に示すように、引掛片６Ａを引っかける位置に引掛部７Ａを設けている。外刃ケース６を外刃枠７に装着すると、引掛片６Ａが引掛部７Ａに案内されて外刃枠７に装着される。
【００３５】
外刃ケース６を外刃枠７から外すために、外刃枠７の引掛部７Ａには、脱着ツマミ１５を配設している。脱着ツマミ１５は、弾性変形するプラスチックで全体の形状を板状に成形している。脱着ツマミ１５は、上部を弾性変形できるように、下端部を外刃枠７に固定している。脱着ツマミ１５の上部には、Ｔ字状に形成された引掛片６Ａの両端を押圧する押圧ロッド１５Ａを一体成形している。さらに、脱着ツマミ１５は、外刃枠７の外部に突出する押ボタン１５Ｂを一体成形している。押ボタン１５Ｂは、外刃枠７の貫通孔７Ｂに出入りできるよう挿入されている。外刃ケース６を外刃枠７から外すときに、押ボタン１５Ｂが押される。押ボタン１５Ｂが押されると、押圧ロッド１５Ａが引掛片６Ａを引掛部７Ａから押し出して、外刃ケース６と外刃枠７の引っかけ状態が解除されて、外刃枠７から引き出される。
【００３６】
図に示す電気かみそりは、外刃枠７を脱着自在に電気かみそりの本体に装着しているが、外刃枠７は電気かみそり本体と一体構造とすることもできる。
【００３７】
図７に示すアーチ外刃１と、スリット外刃２と、中間台６ａと、外刃ケース６と、外刃枠７とは、下記のようにして組み立てられる。
▲１▼  アーチ外刃１とスリット外刃２を中間台６ａに装着する。このとき、中間台６ａは外刃ケース６に連結されない。アーチ外刃１とスリット外刃２は、上下スリット９をガイド突起１０に案内して、中間台６ａに装着される。このとき、弾性プレート６１ａの下端部を外側に広げて、上下スリット９をガイド突起１０に案内する。
▲２▼  アーチ外刃１とスリット外刃２を装着した中間台６ａを、外刃ケース６に装着する。中間台６ａは、貫通孔１４に外刃ケース６の引掛凸部１３を案内して定位置に連結される。
▲３▼  中間台６ａを介して、アーチ外刃１とスリット外刃２を装着した外刃ケース６を、外刃枠７の開口窓７Ｃに装着する。外刃枠７に装着された外刃ケース６は、引掛片６Ａを引掛部７Ａに挿入して、簡単に外れない状態で外刃枠７に装着される。
【００３８】
アーチ外刃１の内面を摺動するアーチ内刃３と、スリット外刃２の内面を摺動するスリット内刃５は、図１１に示すように、内刃台１１で往復運動される。内刃台１１は、２連のアーチ内刃３を、互いに反対方向に往復運動させる。アーチ内刃３の外側に配設される２連のスリット内刃５も反対方向に往復運動されるように、１連のアーチ内刃３と１連のスリット内刃５とを一体として、互いに反対方向に振動される二つの内刃台１１に連結している。
【００３９】
アーチ内刃３は、図４に示すように、複数枚の刃板３Ａを平行に並べてプラスチック製のホルダー３Ｂにインサートして製造されている。刃板３Ａは金属板で、アーチ状に湾曲されるアーチ外刃１の内面に接触するように上端を湾曲形状に成形している。
【００４０】
スリット内刃５は、図８に示すように、櫛形にスリットを設けた金属刃５Ａを備える。金属刃５Ａの上面は、平行刃２Ａの内面を摺動して、平行刃２Ａの平行スリット２ａに誘いこまれる髭をカットする。
【００４１】
アーチ内刃３は、刃板３Ａをインサートしているプラスチック製のホルダー３Ｂに、図１２に示すように、一対の連結支柱３Ｃを一体成形している。連結支柱３Ｃは、上下台１１Ａを介して内刃台１１に連結される。上下台１１Ａは、出入りできるように内刃台１１に連結されている。連結支柱３Ｃは、上下台１１Ａに挿入されるので、外側の間隔を上下台１１Ａの内側間隔にほぼ等しく設計している。
【００４２】
さらにアーチ内刃３のホルダー３Ｂは、内面に突出して係止部３Ｄを成形している。係止部３Ｄは、アーチ内刃３を上下台１１Ａに連結したときに、上下台１１Ａから簡単に外れるのを阻止する係止部材である。係止部３Ｄは、平行板の形状に成形されるホルダー３Ｂの中央に位置して、その下端部に一体成形して設けられている。さらに、係止部３Ｄは、上下台１１Ａにスムーズに挿入して引っかけられるように、図１２に示すごとく、対向面をテーパー面とするフック状に成形されている。係止部３Ｄは、アーチ内刃３を上下台１１Ａに連結したときに、上下台１１Ａの係止窓１１ａに案内されて、アーチ内刃３が上下台１１Ａから外れるのを防止する。アーチ内刃３の連結支柱３Ｃを、上下台１１Ａに挿入して連結するとき、平行板の形状に成形されたホルダー３Ｂが弾性変形してその間隔が多少広がって、係止部３Ｄが上下台１１Ａの係止窓１１ａに案内される。係止部３Ｄが係止窓１１ａに案内されると、ホルダー３Ｂの間隔は狭くなって、係止部３Ｄが係止窓１１ａに引っかかる。
【００４３】
ホルダー３Ｂは、上下台１１Ａの外側に、連結支柱３Ｃは上下台１１Ａの内側に挿入されるので、ホルダー３Ｂと連結支柱３Ｃとの間には、上下台１１Ａを挿入できる隙間を設けている。
【００４４】
上下台１１Ａは、コイルスプリングである中央スプリング２１に押されて上下に移動できるように内刃台１１の連結筒１１Ｂに連結されている。したがって、上下台１１Ａは、図１３に示すように、中央スプリング２１を弾性的に押圧する状態で、内刃台１１に連結される。
【００４５】
上下台１１Ａは、上下に移動できるが抜けないように内刃台１１に連結される。上下台１１Ａは、中央スプリング２１を内蔵できる角筒状に成形され、図１１に示すように、内蔵する中央スプリング２１の上端に押圧される底板１１ｂを中間に設けている。底板１１ｂの下面には、中央スプリング２１の上端を挿入する凸部を成形している。
【００４６】
内刃台１１は、図１４に示すように、振動ホルダー２３を介してブレードホルダー２２に連結される。振動ホルダー２３は、両端に弾性変形できる弾性アーム２３Ａを有し、この弾性アーム２３Ａの先端をブレードホルダー２２に連結している。弾性アーム２３Ａは、水平方向に振動できるように振動ホルダー２３をブレードホルダー２２に連結する。
【００４７】
図１３と図１４に示す内刃台１１は、スリット内刃５を振動させるプラスチック製の駆動片１１Ｃを連結している。駆動片１１Ｃは、内刃台１１を弾性的に挟着する挟着アームを有する。さらに、駆動片１１Ｃは、スリット内刃５の下端を挿入して連結する連結凹部とを有する。駆動片１１Ｃは、振動ホルダー２３をブレードホルダー２２に連結して、振動ホルダー２３とブレードホルダー２２との間にパッキンゴム１２を装着した後、内刃台１１に連結される。この構造の内刃台１１は、パッキンゴム１２を簡単に装着できる。それは、パッキンゴム１２を装着するときに、内刃台１１から駆動片１１Ｃが突出しないからである。
【００４８】
スリット内刃５は、駆動片１１Ｃを介して内刃台１１で振動される。スリット内刃５は、スリット外刃２に装着され、スリット外刃２を中間台６ａに装着して、スリット内刃５も中間台６ａに装着されている。スリット内刃５は、アーチ内刃３のように、内刃台１１に装着されない。スリット内刃５は、スリット外刃２を介して中間台６ａに装着されて定位置に配設される。
【００４９】
スリット内刃５とスリット外刃２の連結構造を示す分解斜視図を図１５に示す。この図のスリット内刃５は、金属刃５Ａと、プラスチック製の内刃ホルダー５Ｂと、板バネ５Ｃとを備える。金属刃５Ａと板バネ５Ｃは、内刃ホルダー５Ｂに積層して固定されている。内刃ホルダー５Ｂは、全体の形状をＴ字状に成形して、上部側面の定位置に、金属刃５Ａと板バネ５Ｃを連結する複数の凸起５Ｄを設けている。金属刃５Ａは、内刃ホルダー５Ｂの凸起５Ｄを挿入する位置に連結孔５Ｅを設けている。
【００５０】
板バネ５Ｃは、薄い弾性金属板をプレス成形したもので、内刃ホルダー５Ｂの凸起５Ｄを挿入する位置に連結孔５Ｅを設けて、両側にはハ字状に弾性片を突出させている。弾性片は、スリット外刃２の内刃ホルダー５Ｂ上面を押圧して、金属刃５Ａをスリット外刃２の内面に弾性的に押圧する。
【００５１】
この図に示すスリット内刃５は、内刃ホルダー５Ｂの上部に、金属刃５Ａと板バネ５Ｃを、各々の連結孔５Ｅを凸起５Ｄに挿入して、簡単に、正確な位置に連結できる。この状態で、内刃ホルダー５Ｂの凸起５Ｄの先端を加熱して押し潰すと、金属刃５Ａと板バネ５Ｃはより確実に内刃ホルダー５Ｂに連結される。金属刃５Ａと板バネ５Ｃを連結したＴ字状の内刃ホルダー５Ｂは、下方に延長されるロッド部をスリット外刃２のホルダー２Ｂに挿入して、スリット外刃２に連結する。
【００５２】
内刃ホルダー５Ｂが、スリット外刃２のホルダー２Ｂに挿入された後、スリット外刃２のホルダー２Ｂに、コ字状に折曲された平行刃２Ａを連結して、スリット内刃５を、スリット外刃２の定位置に保持する。金属刃５Ａと板バネ５Ｃとを連結している内刃ホルダー５Ｂは、全体の厚さを、平行刃２Ａの内幅にほぼ等しくして、スリット外刃２の内部で傾かないように定位置に保持される。
【００５３】
アーチ内刃３とスリット内刃５とを振動させる二つの内刃台１１は、図１６に示すように、ケースに内蔵される駆動機構によって反対方向に往復運動される。駆動機構は、内刃台１１を連結する振動台１７と、この振動台１７を往復運動させるモーター１８と、モーター１８の回転を往復運動に変換して振動台１７を往復運動させる変換機構とを備える。
【００５４】
変換機構は、モーター１８の回転軸に固定されるカム軸１９と、このカム軸１９の偏心軸を振動台１７に連結するコンロッド２０とで構成される。カム軸１９の中心は、２本のコンロッド２０を反対方向に振動させるために、回転軸を中心として対称位置に配設されている。一方のコンロッド２０が右に移動するとき、他方のコンロッド２０は左に移動して、内刃台１１を逆方向に往復運動させる。
【００５５】
この構造の駆動機構は、モーター１８でカム軸１９を回転させ、カム軸１９の偏心軸の回転運動をコンロッド２０で往復運動に変換して振動台１７を往復運動させる。振動台１７の中央には、内刃台の連結ロッドを連結する孔が垂直に開口されている。振動台１７の孔に内刃台の連結ロッドを挿入して、内刃台は振動台１７に連結される。
【００５６】
【発明の効果】
本発明の電気かみそりは、スリット外刃で癖髭を理想的な状態にカットし、さらに、アート外刃で綺麗に髭剃りできる特徴がある。それは、本発明の電気かみそりが、スリット外刃を、アーチ外刃とは独立してアーチ外刃の両外側に隣接して平行に配設すると共に、さらに、このスリット外刃の両外側に隣接して外刃ケースに櫛を平行に形成しているからである。この構造の電気かみそりは、従来のように、アーチ外刃に続いて、平行刃が髭を剃るのではない。外刃を皮膚に剃って往復運動させて髭剃りするとき、図３に示すように、平行スリットを開口しているスリット外刃に先行して櫛が移動する。櫛は、皮膚から突出している癖髭を整列させてスリット外刃の平行スリットに確実に誘い込んで確実にカットする。スリット外刃でカットされた癖髭は、短くなって皮膚から突出するようになる。短く切断されて皮膚から多少突出する癖髭は、アーチ外刃の網刃に設けられた髭剃孔に案内されてさらに短くカットされる。
【００５７】
さらに、櫛よりも突出する位置でアーチ外刃とスリット外刃とを出入りできるように配設すると共に、アーチ外刃とスリット外刃を最も押し下げた位置で、櫛の先端と同一平面とするので、アーチ外刃とスリット外刃とを強く押圧すると、櫛が癖髭を確実に整列して、スリット外刃の平行スリットに確実に案内でき、スリット外刃とアーチ外刃とを強く押圧しない状態では、櫛のない外刃と同じように使用できる特徴を実現する。
【００５８】
さらに、本発明の請求項４に記載する電気かみそりは、スリット外刃の平行刃を、アーチ外刃の網刃よりも厚くして、平行スリットの開口を髭剃孔よりも大きくしている。この構造の電気かみそりは、スリット外刃で確実に癖髭をカットして、しかも皮膚を傷つけることなく、綺麗に髭剃りできる特長がある。それは、大きく開口している平行スリットに癖髭を確実に誘い込み、厚い平行刃で皮膚に損傷を与えず、さらに、薄い網刃の髭剃孔で髭を短く綺麗にカットできるからである。厚い平行刃が皮膚に損傷を与えないのは、深剃りしないからである。
【００５９】
さらに、本発明の請求項５に記載する電気かみそりは、櫛の間隔をスリット外刃の平行スリットの間隔よりも広くしているので、湾曲する癖髭を櫛の間に確実に案内して、綺麗に整列できる。整列された癖髭は、スリット外刃の平行スリットに速やかに誘い込まれて、確実にカットされる。
【００６０】
さらにまた、本発明の請求項６と７に記載する電気かみそりは、アーチ外刃の両側にスリット外刃を配設し、また、スリット外刃の両側に櫛を配設しているので、外刃を往復運動させる両方の動きで、癖髭も確実にカットして、効率よく髭剃りできる特長がある。
【図面の簡単な説明】
【図１】従来のスリット外刃が癖髭をカットする状態を示す断面図
【図２】従来のスリット外刃が癖髭をカットする状態を示す断面図
【図３】本発明の実施例の電気かみそりのスリット外刃が癖髭をカットする状態を示す断面図
【図４】本発明の実施例の電気かみそりの分解斜視図
【図５】図４に示す電気かみそりの外刃枠と外刃ケースと外刃の連結状態を示す斜視図
【図６】図４に示す電気かみそりのアーチ外刃とスリット外刃と中間台と外刃ケースを分解した状態を示す分解斜視図
【図７】図５に示す電気かみそりのアーチ外刃とスリット外刃と櫛の斜視図
【図８】櫛とスリット外刃が髭を平行スリットに誘い込みしてカットする状態を示す斜視図
【図９】アーチ外刃とスリット外刃が中間台を介して外刃ケースに装着された状態を示す断面図
【図１０】外刃ケースを脱着自在に外刃枠に連結する部分の断面図
【図１１】アーチ内刃とスリット内刃を内刃台に連結する状態を示す一部断面側面図
【図１２】アーチ内刃を内刃台に連結する状態を示す斜視図
【図１３】内刃台をブレードホルダーに連結する状態を示す斜視図
【図１４】内刃台を振動ホルダーを介してブレードホルダーに連結する斜視図を示す分解斜視図
【図１５】スリット内刃の分解斜視図
【図１６】内刃台を振動させる機構を示す斜視図
【符号の説明】
１…アーチ外刃          １Ａ…網刃            １Ｂ…ホルダー
２…スリット外刃        ２Ａ…平行刃          ２Ｂ…ホルダー
２ａ…平行スリット
３…アーチ内刃          ３Ａ…刃板            ３Ｂ…ホルダー
３Ｃ…連結支柱        ３Ｄ…係止部
４…櫛
５…スリット内刃        ５Ａ…金属刃          ５Ｂ…内刃ホルダー
５Ｃ…板バネ          ５Ｄ…凸起
５Ｅ…連結孔
６…外刃ケース          ６Ａ…引掛片          ６Ｂ…弾性金属板
６ａ…中間台
６１ａ…弾性プレート    ６２ａ…連結ロッド
６１…端部プレート      ６２…側面プレート
７…外刃枠              ７Ａ…引掛部          ７Ｂ…貫通孔
７Ｃ…開口窓
８…連結ピン
９…上下スリット
１０…ガイド突起
１１…内刃台            １１Ａ…上下台        １１Ｂ…垂直筒
１１Ｃ…駆動片
１１ａ…係止窓        １１ｂ…底板
１２…パッキンゴム
１３…引掛凸部
１４…貫通孔
１５…脱着ツマミ        １５Ａ…押圧ロッド    １５Ｂ…押ボタン
１６…端部スプリング
１７…振動台
１８…モーター
１９…カム軸
２０…コンロッド
２１…中央スプリング
２２…ブレードホルダー
２３…振動ホルダー      ２３Ａ…弾性アーム
Ｋ…癖髭                  Ｈ…皮膚
【図１】
0003609553.tif 000002
【図２】
0003609553.tif 000003
【図３】
0003609553.tif 000004
【図４】
0003609553.tif 000005
【図５】
0003609553.tif 000006
【図６】
0003609553.tif 000007
【図７】
0003609553.tif 000008
【図８】
0003609553.tif 000009
【図９】
0003609553.tif 000010
【図１０】
0003609553.tif 000011
【図１１】
0003609553.tif 000012
【図１２】
0003609553.tif 000013
【図１３】
0003609553.tif 000014
【図１４】
0003609553.tif 000015
【図１５】
0003609553.tif 000016
【図１６】
0003609553.tif 000017